(57)【要約】【課題】受信系の各回路部の動作開始タイミングを考慮することにより、電源電圧の変動を抑止し、安定した受信動作が可能な放送受信機を提供する。【解決手段】受信部２、復調部３、多重分離部４、画像デコード部５、表示部６、音声デコード部７、スピーカ８、録画部９の受信系の各回路部の動作タイミングを制御する動作タイミング制御部１０ｉを制御部１０に備え、かつ、受信系の各回路部のいずれか１ないし複数の回路部それぞれにおいて処理された処理結果を一時的に保持するバッファリング手段としてメモリ１２を備え、動作タイミング制御部１０ｉが指示した次段の回路部の動作タイミングに達するまでメモリ１２に前段の回路部の処理結果を保持し、該動作タイミングに達した際に、メモリ１２に保持された処理結果を、次段の回路部へ引き継ぐとともに、該次段の回路部の動作を開始させる。【選択図】        図１
2010062781.tif 000002
【特許請求の範囲】
【請求項１】
放送信号を受信して処理を行う受信系の各回路部を備えた放送受信機において、前記受信系の各回路部の動作タイミングを制御する動作タイミング制御部と、前記受信系の各回路部のいずれか１ないし複数の回路部それぞれにおいて処理された処理結果を一時的に保持するバッファリング手段と、を少なくとも備え、前記受信系の各回路部に供給する電力の合計が、電源として電力供給が可能な最大電力値を示す電源容量を超えないように、前記受信系の各回路部のいずれか１ないし複数の回路部について、前記動作タイミング制御部が指示した動作タイミングに達するまで、前記バッファリング手段に当該回路部が処理した前記処理結果を一時的に保持し、前記動作タイミング制御部が指示した動作タイミングに達した際に、前記バッファリング手段に保持された当該回路部における処理結果を取り出して、次段の回路部へ引き継ぐとともに、当該次段の回路部の動作を開始させることを特徴とする放送受信機。
【請求項２】
前記バッファリング手段が、前記受信系の各回路部のいずれか１ないし複数の回路部の処理結果を出力する出力側に備えられた出力バッファ回路、前記受信系の各回路部のいずれか１ないし複数の回路部の処理結果を引き継ぐ次段の回路部の入力側に備えられた入力バッファ回路、あるいは、前記受信系の各回路部のいずれか１ないし複数の回路部からアクセスすることが可能なメモリのいずれかから構成されていることを特徴とする請求項１に記載の放送受信機。
【請求項３】
前記バッファリング手段は、一時的に保持すべき処理結果が出力されてくるタイミングに応じて、逐次、該処理結果を書き込み、前記動作タイミング制御部が、該処理結果を引き継ぐ次段の回路部の動作タイミングとして指示したタイミングに達した際に、保持された前記処理結果を読み出す動作を行うことを特徴とする請求項１または２に記載の放送受信機。
【請求項４】
前記動作タイミング制御部は、前記受信系の各回路部のいずれか１ないし複数の回路部について、前段の回路部の処理が終了したタイミングに達した際に、次段の回路部の動作を開始させるように制御することを特徴とする請求項１ないし３のいずれかに記載の放送受信機。
【請求項５】
前記動作タイミング制御部は、前記受信系の各回路部のいずれか１ないし複数の回路部について、前記受信系の回路部への合計電力が前記電源容量を超えない限り、処理すべき放送信号の当該周期内に、それぞれの回路部を動作させる動作タイミングを設定するか、あるいは、処理すべき当該周期の次の周期以降に、いずれかの回路部を動作させる動作タイミングを設定することを特徴とする請求項１ないし４のいずれかに記載の放送受信機。
【請求項６】
放送電波を受信する放送受信機の受信系の各回路部の動作タイミングを制御する放送受信機動作タイミング制御方法であって、前記受信系の各回路部に供給する電力の合計が、電源として電力供給が可能な最大電力値を示す電源容量を超えないように、前記受信系の各回路部のいずれか１ないし複数の回路部について、制御部によって指示された動作タイミングに達するまで、バッファリング手段に当該回路部が処理した処理結果を一時的に保持し、指示された動作タイミングに達した際に、前記バッファリング手段に保持された当該回路部における処理結果を取り出して、次段の回路部へ引き継ぐとともに、当該次段の回路部の動作を開始させることを特徴とする放送受信機動作タイミング制御方法。
【発明の詳細な説明】
【技術分野】
【０００１】
本発明は、放送受信機および放送受信機動作タイミング制御方法に関する。
【背景技術】
【０００２】
一般に、デジタル放送は、放送電波を送信する複数のチャネル（伝送路、トランスポンダ、周波数帯）を用意しており、１つのチャネルで複数の放送サービス（コンテンツ、プログラム）を時分割で多重化して放送することができる。
【０００３】
複数の放送サービスが時分割多重化された放送電波として受信する従来のデジタル放送受信機は、例えば、特許文献１の特開２００４−１６６０７０号公報「デジタル放送受信機」に記載のように、図４のようなブロック構成からなっており、アンテナ１、受信部２Ａ、復調部３Ａ、多重分離部４Ａ、画像デコード部５Ａ、表示部６、音声デコード部７Ａ、スピーカ８、録画部９Ａ、制御部１０Ａ、キー操作部１１から構成されている。図４は、従来のデジタル放送受信機のブロック構成を示すブロック構成図である。
【０００４】
アンテナ１は、放送局から時分割多重化されて送信されてくる放送電波を受信するものであり、受信部２Ａは、制御部１０Ａの制御に基づいて、アンテナ１で受信した放送電波に含まれる時分割多重化された複数の放送サービス信号の中から、所望の放送サービスが属する放送信号を選局・検波し、デジタル信号に変換して処理結果として出力するものである。
【０００５】
復調部３Ａは、制御部１０Ａの制御に基づいて、再生搬送波、再生クロック信号を用いて、時間領域での周期を確立して、選局した放送信号をトランスポートストリーム（ＴＳ：Transport Stream）へ変換し、変換したトランスポートストリーム（ＴＳ）の中から所望の放送サービス（プログラム）を含むＴＳパケットを抽出するとともに、抽出したＴＳパケットのセクションヘッダから、次の周期のＴＳパケットまでの時間を示す時刻情報を取り出す処理を行って処理結果として出力するものである。
【０００６】
多重分離部４Ａは、制御部１０Ａの制御に基づいて、通常再生動作においては、復調部３ＡからのＴＳパケットの中から映像信号データ、音声信号データおよび付加情報データを分離して、それぞれ、画像デコード部５Ａ、音声デコード部７Ａおよび制御部１０Ａに処理結果として出力し、録画動作時には、映像信号データ、音声信号データおよび付加情報データを、あるいは、復調部３ＡからのＴＳパケットそのものを、処理結果として録画部９Ａへ出力する。
【０００７】
画像デコード部５Ａは、制御部１０Ａの制御に基づいて、多重分離部４Ａからの映像信号データをデコードして、テレビジョン標準方式例えばＮＴＳＣ方式の連続するアナログ動画信号（映像信号）に変換して、処理結果として表示部６に出力し、表示部６において動画による画面表示がなされる。
【０００８】
音声デコード部７Ａは、制御部１０Ａの制御に基づいて、多重分離部４Ａからの音声信号データをデコードして、連続するアナログ音声信号に変換して、処理結果としてスピーカ８に出力し、スピーカ８から音声信号を音波として出力する。
【０００９】
録画部９Ａは、制御部１０Ａの制御に基づいて、録画指示された多重分離部４Ａからの映像信号データ、音声信号データおよび付加情報データを、あるいは、ＴＳパケットそのものを、録画情報として蓄積保存するものである。
【００１０】
制御部１０Ａは、キー操作部１１から入力される操作者からの指示内容に基づいて、デジタル放送受信機全体の動作を制御するものである。また、制御部１０Ａは、多重分離部４Ａからの付加情報データ例えば番組情報を、必要に応じてＥＰＧ(Electronic Program Guide)データとして保存して、要求に応じて表示部６に画面表示したり、あるいは、表示用のテキスト情報を字幕情報として映像信号に重畳させて表示部６に画面表示したりする動作を制御する。
【００１１】
キー操作部１１は、ボタンやキーなどから構成されていて、操作者の指示を制御部１０Ａに入力するものである。
【００１２】
かくのごときデジタル放送受信機において、例えば、放送信号として時分割多重化されて送信されてくる各種放送サービスのうち、第１の放送サービスの受信をキー操作部１１から指示している場合、制御部１０Ａは、受信部２Ａに対して各種放送サービスが時分割多重化されている放送信号のうち、第１の放送サービスが属する放送信号を選局する動作を指示することにより、受信部２Ａは、アンテナ１で受信した放送電波のうち、第１の放送サービスが含まれている放送信号を抽出して、復調部３Ａに対して出力してくることになる。
【００１３】
復調部３Ａにおいては、受信部２Ａから入力されてくる放送信号（第１の放送サービスを含む放送信号）をトランスポートストリーム(ＴＳ)に復調し、そのトランスポートストリーム(ＴＳ)の中から第１の放送サービスに該当するＴＳパケットを抽出して多重分離部４Ａに出力する。多重分離部４Ａにおいては、第１の放送サービスに該当するＴＳパケットを映像信号、音声信号に分離して、それぞれ、表示部６、スピーカ８から出力するとともに、録画の指示がなされていた場合には、録画部９Ａにおいて録画動作を行う。
【特許文献１】特開２００４−１６６０７０号公報（第３−４頁）
【発明の開示】
【発明が解決しようとする課題】
【００１４】
デジタル放送受信機には、一般に、家庭内などに固定設置される据え置き型受信機と車載用の移動体向け受信機とがあり、据え置き型受信機は、ＡＣ電源により電力供給が行われるが、車載用の移動体向け受信機の場合は、電源として電池からの電力供給となる。このため、特に、移動体向け受信機の場合には、電池の消費電力を削減するために、必要時以外は、電池からの電力供給を停止し、受信指示があった場合にのみ電力供給を行うという間欠受信動作が行われるのが一般的である。
【００１５】
例えば、図５に示すように、放送電波として、第１の放送サービス（Ｓｅｒｖｉｃｅ１）から第４の放送サービス(Ｓｅｒｖｉｃｅ４)までの４つの放送サービスを時分割多重して送信している場合に、図４に示すような従来のデジタル放送受信機は、次のように動作する。ここで、図５は、複数の放送サービスが時分割多重化されて送信されている放送電波の様子を示す模式図である。
【００１６】
つまり、従来のデジタル放送受信機において、第１の放送サービス（Ｓｅｒｖｉｃｅ１）のみを選局して受信しようとする場合、図４の受信部２Ａ，復調部３Ａにおいては、図６に示すように、第１の放送サービス（Ｓｅｒｖｉｃｅ１）が一定周期Ｔごとに周期的に送信されてくる時刻ｔ１、時刻ｔ２、…のタイミングにおいて、放送信号を受信して復調する動作を行うことが必要になる。ここで、図６は、図５の放送電波の中からデジタル放送受信機が所望の第１の放送サービス（Ｓｅｒｖｉｃｅ１）のみを抽出して受信する様子を示す模式図である。
【００１７】
図５において、図４のデジタル放送受信機が受信動作を行う場合、第１の放送サービス（Ｓｅｒｖｉｃｅ１）から第４の放送サービス（Ｓｅｒｖｉｃｅ４）まで時分割多重化されて放送されている放送電波の中から、第１の放送サービス（Ｓｅｒｖｉｃｅ１）のみを受信する指示が、時刻ｔ０にて、キー操作部１１からなされたとしても、時刻ｔ１にて指定された第１の放送サービス（Ｓｅｒｖｉｃｅ１）の送信が行われているので、時刻ｔ１に達するまでは、電池からの電力供給は行われない。
【００１８】
しかる後、時刻ｔ１に達した際に、制御部１０Ａの制御に基づいて、放送信号の受信動作を行う受信部２Ａ、復調部３Ａ、多重分離部４Ａ、画像デコード部５Ａ、音声デコード部７Ａ、録画部９Ａの受信系の各回路部に対する電力供給ルートをＯＮにして電力分配動作を開始し、放送電波の受信動作を開始する。
【００１９】
受信系の各回路部への電力分配が開始されることにより、受信部２Ａは、送信されてきた放送電波の中から指定された第１の放送サービス（Ｓｅｒｖｉｃｅ１）を含む放送信号を検波し、検波された放送信号を復調部３Ａにおいて復調し、第１の放送サービスに該当するＴＳパケットを取り出す。多重分離部４Ａにおいては、映像信号データ、音声信号データ、付属情報データ（番組表データ、宇幕データ等）に分離する。しかる後、映像データ、音声データを、それぞれ、画像デコード部５Ａ、音声デコード部７Ａに入力して、映像信号、音声信号に復号して、再生を行い、表示部６、スピーカ８に出力する。
【００２０】
しかしながら、従来のデジタル放送受信機の場合、電力消費を低減しようとするデジタル放送受信機であっても、電力の消費量が大きい受信部２Ａ、復調部３Ａ、画像デコード部５Ａ、音声デコード部７Ａ、録画部９Ａ等の動作開始タイミングを考慮していなく、前述のように、第１の放送サービス（Ｓｅｒｖｉｃｅ１）が含まれている放送電波が受信される時刻ｔ１に到達すると、受信系の各回路部への電力分配動作が開始され、以降、第１の放送サービス（Ｓｅｒｖｉｃｅ１）が終了するか、あるいは、キー操作部１１から第１の放送サービス（Ｓｅｒｖｉｃｅ１）の受信動作の打ち切りの指示が入力されるまでの間、デジタル放送受信機の受信系の各回路部への電力分配動作は継続して実施されている。
【００２１】
このため、動作を行う必要がない時点であっても電力の供給がなされていて動作可能な状態にある受信系の各回路部においては、前段の回路部における放送信号の処理結果が出力し始めると同時に、逐次、所要の動作を開始するという状態になっていた。
【００２２】
この結果、デジタル放送受信機の受信系の各回路部においては、前段の回路部における放送信号の処理時間と重複した時間帯に、次段の回路部でも同時に処理を行うための電力を消費することになり、デジタル放送受信機内に流れる合計電流１００が、図７の過大電流値１００Ａに示すように、瞬間的には、電源つまり電池の供給可能な最大電流値つまり最大電池容量１０１をオーバしてしまう場合が発生する。図７は、従来のデジタル放送受信機の電力消費状況を説明するための説明図である。
【００２３】
この結果、電池電圧１０２が、図７の低下電圧値１０２Ａに示すように、受信系の各回路部の正常な動作に必要とする所要電圧閾値１０３以下にまで低下してしまい、正常な受信動作を行うことができないという重大な事態が発生しかねない。
【００２４】
特に、電力消費量が大きい受信部２Ａ、復調部３Ａ、画像デコード部５Ａ、音声デコード部７Ａ、録画部９Ａのいずれかの組合せで同時に動作する時間帯においては、図７に示すように、合計電流１００が、最大電池容量１０１を大幅に超過してしまう状況が生じてしまう。かくのごとき突出した大きな電流が流れる事態は、電池を電源とする移動体向け受信機の場合のみならず、ＡＣ電源を用いる据え置き型受信機にとっても、電源電圧の変動を齎す要因となり、決して好ましいことではない。
【００２５】
本発明は、かかる事情に鑑みてなされたものであり、受信系の各回路部の動作開始タイミングを考慮することにより、電源電圧の変動を抑止し、安定した受信動作が可能な放送受信機および放送受信機動作タイミング制御方法を提供することを、その目的としている。
【課題を解決するための手段】
【００２６】
前述の課題を解決するため、本発明による放送受信機および放送受信機動作タイミング制御方法は、次のような特徴的な構成を採用している。
【００２７】
（１）放送信号を受信して処理を行う受信系の各回路部を備えた放送受信機において、前記受信系の各回路部の動作タイミングを制御する動作タイミング制御部と、前記受信系の各回路部のいずれか１ないし複数の回路部それぞれにおいて処理された処理結果を一時的に保持するバッファリング手段と、を少なくとも備え、前記受信系の各回路部に供給する電力の合計が、電源として電力供給が可能な最大電力値を示す電源容量を超えないように、前記受信系の各回路部のいずれか１ないし複数の回路部について、前記動作タイミング制御部が指示した動作タイミングに達するまで、前記バッファリング手段に当該回路部が処理した前記処理結果を一時的に保持し、前記動作タイミング制御部が指示した動作タイミングに達した際に、前記バッファリング手段に保持された当該回路部における処理結果を取り出して、次段の回路部へ引き継ぐとともに、当該次段の回路部の動作を開始させる放送受信機。
（２）前記バッファリング手段が、前記受信系の各回路部のいずれか１ないし複数の回路部の処理結果を出力する出力側に備えられた出力バッファ回路、前記受信系の各回路部のいずれか１ないし複数の回路部の処理結果を引き継ぐ次段の回路部の入力側に備えられた入力バッファ回路、あるいは、前記受信系の各回路部のいずれか１ないし複数の回路部からアクセスすることが可能なメモリのいずれかから構成されている上記（１）の放送受信機。
（３）前記バッファリング手段は、一時的に保持すべき処理結果が出力されてくるタイミングに応じて、逐次、該処理結果を書き込み、前記動作タイミング制御部が、該処理結果を引き継ぐ次段の回路部の動作タイミングとして指示したタイミングに達した際に、保持された前記処理結果を読み出す動作を行う上記（１）または（２）の放送受信機。
（４）前記動作タイミング制御部は、前記受信系の各回路部のいずれか１ないし複数の回路部について、前段の回路部の処理が終了したタイミングに達した際に、次段の回路部の動作を開始させるように制御する上記（１）ないし（３）のいずれかの放送受信機。
（５）前記動作タイミング制御部は、前記受信系の各回路部のいずれか１ないし複数の回路部について、前記受信系の回路部への合計電力が前記電源容量を超えない限り、処理すべき放送信号の当該周期内に、それぞれの回路部を動作させる動作タイミングを設定するか、あるいは、処理すべき当該周期の次の周期以降に、いずれかの回路部を動作させる動作タイミングを設定する上記（１）ないし（４）のいずれかの放送受信機。
（６）放送電波を受信する放送受信機の受信系の各回路部の動作タイミングを制御する放送受信機動作タイミング制御方法であって、前記受信系の各回路部に供給する電力の合計が、電源として電力供給が可能な最大電力値を示す電源容量を超えないように、前記受信系の各回路部のいずれか１ないし複数の回路部について、制御部によって指示された動作タイミングに達するまで、バッファリング手段に当該回路部が処理した処理結果を一時的に保持し、指示された動作タイミングに達した際に、前記バッファリング手段に保持された当該回路部における処理結果を取り出して、次段の回路部へ引き継ぐとともに、当該次段の回路部の動作を開始させる放送受信機動作タイミング制御方法。
【発明の効果】
【００２８】
本発明の放送受信機および放送受信機動作タイミング制御方法によれば、以下のような効果を得ることができる。
【００２９】
放送受信機の受信系の各回路部の電力消費のピークを時間的に分散させるように受信系の各回路部の動作タイミングを制御しているので、電源電圧の瞬間的な低下を防止することができ、放送受信機の正常な受信動作に必要とする電源電圧を常時維持することが可能となり、放送信号の正常な受信動作を確保することができる。特に、電池を電源とする移動体向けの放送受信機において、好適に適用することができ、安定した受信動作を実現することができる。
【発明を実施するための最良の形態】
【００３０】
以下、本発明による放送受信機および放送受信機動作タイミング制御方法の好適な実施形態について添付図を参照して説明する。
【００３１】
放送電波を受信する放送受信機としては、前述したように、家庭内に固定設置される据え置き型受信機と車載用の移動体向け受信機とがあり、本発明は、電池を電源とする移動体向け受信機に対して特に好適に適用することができるが、据え置き型受信機であっても、全く同様に適用することができることは言うまでもない。
【００３２】
また、以下の説明においては、デジタル放送を受信するデジタル放送受信機の場合を例にとって説明するが、本発明は、かかるデジタル放送受信機に限るものではなく、アナログ放送の受信機であっても、同様に適用することができる。
【００３３】
また、本発明は、移動体向け受信機の場合の動作モードとして、電源電池の省電力化を図るために、必要時以外は、電力供給を停止するという間欠受信モードのみならず、連続受信モードで動作する場合であっても、また、据え置き型受信機の如何なる動作モードであっても、これらの動作モードの如何に関わらず、瞬間的な電力消費量が突出して大きくなることがなく、電源の出力電圧として、正常な受信動作が可能な所要電圧閾値以下には低下することがない確実な仕組みを実現することを特徴としている。
【００３４】
（実施形態の構成例）
次に、本発明の放送受信機の回路構成について、その一例を、図１を用いて説明する。図１は、本発明による放送受信機のブロック構成の一例を示すブロック構成図であり、デジタル放送受信機を例にとって示している。
【００３５】
図１に示すように、本デジタル放送受信機は、受信系の各回路部からアクセスすることが可能なメモリ１２を新たに備えていることを除いて、従来技術として説明した図４のデジタル放送受信機と略同様の構成からなっており、アンテナ１、受信部２、復調部３、多重分離部４、画像デコード部５、表示部６、音声デコード部７、スピーカ８、録画部９、制御部１０、キー操作部１１、メモリ１２、を少なくとも含んで構成されている。ここで、放送信号の受信処理を行うアンテナ１、受信部２、復調部３、多重分離部４、画像デコード部５、表示部６、音声デコード部７、スピーカ８、録画部９の受信系の各回路部それぞれの機能は、図４の場合と略同様であるが、受信系の各回路部間で授受される処理結果（放送信号やＴＳパケット）つまり前段の回路部から次段の回路部へ引き継ぐべき処理結果は、直接ではなく、メモリ１２を介して行われる点が、図４の場合と大きく異なっている。
【００３６】
ここで、図１において追加した本発明特有のメモリ１２は、制御部１０の制御に基づいて、受信系の各回路部間で授受される処理結果（放送信号やＴＳパケット）を一時的に保持するバッファリング手段であり、前段の回路部から出力される放送信号やＴＳパケット等の処理結果を、それぞれの回路部の出力タイミングに応じて順次メモリ１２に書き込んでいき、当該回路部の処理が終了してすべての処理結果がメモリ１２に書き込まれて、制御部１０から指示された動作タイミングとして次段の回路部の動作を開始すべきタイミングに到達した際に、メモリ１２に蓄積されていた前段の回路部の処理結果を読み出して、次段の回路部へ入力するとともに、当該次段の回路部の動作を開始させるように動作する。
【００３７】
また、制御部１０は、メモリ１２のバッファリング動作と連動させて、受信した放送信号の処理を行う受信系の各回路部の動作タイミングを制御する動作タイミング制御部１０ｉ、受信系の各回路部への電源の分配を制御する電源制御部１０ｊを少なくとも備えている。ここで、電源制御部１０ｊは、受信系の各回路部への電力供給タイミングを制御するものであり、例えば、動作タイミング制御部１０ｉの制御信号に連動して、受信系の各回路部への電力分配タイミングを制御したりする。
【００３８】
図１に示す例においては、受信系の各回路部間それぞれについて、前段の回路部における処理結果（放送信号やＴＳパケット）を、バッファリング手段であるメモリ１２を介して、次段の回路部へ引き継ぐ動作となり、この結果として、いずれの回路部も、それぞれ別々のタイミングで動作し、重複して動作することがないように制御している場合を示している。
【００３９】
つまり、図１に示す例においては、まず、ある周期の放送信号について、制御部１０の動作タイミング制御部１０ｉの制御に基づいて、受信部２にて選局・検波しデジタル信号に変換した放送信号を受信部２における処理結果としてメモリ１２に逐次蓄積していき、受信部２の処理が終了したタイミング（メモリ１２に当該周期の選局放送信号がすべて蓄積されたタイミング）で、該放送信号をメモリ１２から読み出して、次段の復調部３へ入力する。
【００４０】
次いで、復調部３は、制御部１０の動作タイミング制御部１０ｉの制御に基づいて動作を開始するとともに、メモリ１２を介して入力されてきた放送信号の復調を行い、指定された放送サービスに相当するＴＳパケットの抽出を行い、当該ＴＳパケットを復調部３における処理結果としてメモリ１２に逐次蓄積していって、復調部３の処理が終了したタイミング（メモリ１２に当該周期における抽出ＴＳパケットがすべて蓄積されたタイミング）で、該ＴＳパケットをメモリ１２から読み出して、次段の多重分離部４へ入力する。
【００４１】
次いで、多重分離部４は、制御部１０の動作タイミング制御部１０ｉの制御に基づいて動作を開始するとともに、メモリ１２を介して入力されてきたＴＳパケットを映像信号データ、音声信号データ、付属情報データに分離して、それぞれのデータを多重分離部４における処理結果としてメモリ１２に逐次蓄積していき、多重分離部４の処理が終了したタイミング（メモリ１２に当該周期のＴＳパケットに関する映像信号データ、音声信号データ、付属情報データがすべて蓄積されたタイミング）で、映像信号データ、音声信号データ、付属情報データそれぞれをメモリ１２から読み出して、再生動作時においては、それぞれ、次段の画像デコード部５、音声デコード部７、制御部１０へ、および／または、録画動作時においては、メモリ１２から読み出した映像信号データ、音声信号データ、付属情報データを、または、メモリ１２を介して入力されてきたＴＳパケットそのものを、録画部９へ入力する。
【００４２】
再生動作時においては、画像デコード部５は、制御部１０の動作タイミング制御部１０ｉの制御に基づいて動作を開始するとともに、メモリ１２を介して入力されてきた映像信号データをデコードして、テレビジョン標準方式例えばＮＴＳＣ方式の連続するアナログ動画信号（映像信号）に変換して、処理結果として表示部６に出力し、表示部６において動画による画面表示を行う一方、音声デコード部７は、制御部１０の動作タイミング制御部１０ｉの制御に基づいて動作を開始するとともに、メモリ１２を介して入力されてきた音声信号データをデコードして、連続するアナログ音声信号に変換して、処理結果としてスピーカ８に出力し、スピーカ８から音声信号を音波として出力する。
【００４３】
一方、録画動作時においては、録画部９は、制御部１０の動作タイミング制御部１０ｉの制御に基づいて動作を開始するとともに、メモリ１２を介して入力されてきた映像信号データ、音声信号データおよび付加情報データを、または、ＴＳパケットを、録画情報として蓄積保存する。
【００４４】
なお、アンテナ１、受信部２、復調部３、多重分離部４、画像デコード部５、音声デコード部７および録画部９の主要な機能は、前述したように、入出力データがメモリ１２を介して授受されることを除いて、図４の従来の放送受信機の場合と同様であり、次のような機能を実現している。
【００４５】
アンテナ１は、放送局から時分割多重化されて送信されてくる放送電波を受信するものであり、受信部２は、制御部１０の制御に基づいて動作を開始し、アンテナ１で受信した放送電波に含まれる時分割多重化された複数の放送サービス信号の中から、所望の放送サービスが属する放送信号を選局・検波し、デジタル信号に変換して、処理結果として出力するものである。
【００４６】
復調部３は、制御部１０の制御に基づいて動作を開始し、再生搬送波、再生クロック信号を用いて、時間領域での周期を確立して、選局した放送信号をトランスポートストリーム（ＴＳ：Transport Stream）へ変換し、変換したトランスポートストリーム（ＴＳ）の中から所望の放送サービス（プログラム）を含むＴＳパケットを抽出するとともに、抽出したＴＳパケットのセクションヘッダから、次の周期のＴＳパケットまでの時間を示す時刻情報を取り出す処理を行って、処理結果として出力するものである。
【００４７】
多重分離部４は、制御部１０の制御に基づいて動作を開始し、通常再生動作においては、復調部３からメモリ１２を介して入力されてくるＴＳパケットの中から映像信号データ、音声信号データおよび付加情報データを分離して、それぞれ、画像デコード部５、音声デコード部７および制御部１０に処理結果として出力し、録画動作時には、映像信号データ、音声信号データおよび付加情報データを、あるいは、復調部３からメモリ１２を介して入力されてくるＴＳパケットそのものを処理結果として録画部９へ出力する。
【００４８】
画像デコード部５は、制御部１０の制御に基づいて動作を開始し、多重分離部４からメモリ１２を介して入力されてくる映像信号データをデコードして、テレビジョン標準方式例えばＮＴＳＣ方式の連続するアナログ動画信号（映像信号）に変換して、処理結果として表示部６に出力し、表示部６において動画による画面表示がなされる。
【００４９】
音声デコード部７は、制御部１０の制御に基づいて動作を開始し、多重分離部４からメモリ１２を介して入力されてくる音声信号データをデコードして、連続するアナログ音声信号に変換して、処理結果としてスピーカ８に出力し、スピーカ８から音声信号を音波として出力する。
【００５０】
録画部９は、制御部１０の制御に基づいて動作を開始し、録画指示された多重分離部４からメモリ１２を介して入力されてくる映像信号データ、音声信号データおよび付加情報データを、あるいは、ＴＳパケットそのものを録画情報として蓄積保存するものである。
【００５１】
また、制御部１０は、キー操作部１１から入力される操作者からの指示内容に基づいて、デジタル放送受信機全体の動作を制御するものである。なお、制御部１０は、前述した動作タイミング制御部１０ｉ、電源制御部１０ｊの制御動作以外に、多重分離部４からメモリ１２を介して入力されてくる付加情報データ例えば番組情報を、必要に応じてＥＰＧ(Electronic Program Guide)データとして保存して、要求に応じて表示部６に画面表示したり、あるいは、表示用のテキスト情報を字幕情報として映像信号に重畳させて表示部６に画面表示したりする動作を制御する。
【００５２】
（実施形態の動作例）
次に、図１に示すデジタル放送受信機の放送信号の受信動作の一例について、連続的に送信されてくる第１の放送サービス（Ｓｅｒｖｉｃｅ１）を受信する場合を例にとって、受信系の各回路部の動作タイミングに着目して説明する。図２は、キー操作部１１から指定した第１の放送サービス(Ｓｅｒｖｉｃｅ１)が連続的に送信されてくる放送電波の様子を示す模式図である。
【００５３】
図２において、図１のデジタル放送受信機にて、時刻ｔ０にて、第１の放送サービス（Ｓｅｒｖｉｃｅ１）を受信する指示がキー操作部１１からなされた場合、制御部１０は、選局・検波動作を行わせることにより、時刻ｔ１にて指定された第１の放送サービス（Ｓｅｒｖｉｃｅ１）の送信が行われていることを検知し、以降、一定周期Ｔごとに周期的に送信されてくる時刻ｔ１、時刻ｔ２、…のタイミングにおいて、放送信号を受信して復調する動作を行うことが必要であるものと判別する。
【００５４】
かかる判別結果から得られる第１の放送サービス（Ｓｅｒｖｉｃｅ１）の受信動作においては、制御部１０の動作タイミング制御部１０ｉ、電源制御部１０ｊの制御に基づいて、放送信号の受信系の各回路部の動作タイミングが互いに重複しないように制御され、前述したように、前段の回路部における信号処理が終了したタイミングで初めて次段の回路部が動作する状態になる。この結果、瞬間的な電力の消費の集中を回避させることが可能となり、受信系の各回路部の合計消費電力が、電源として供給可能な最大電力値の電源容量を超えるようなことがなく、電源電圧の大きな低下を防止することが可能になる。而して、受信系の各回路部の動作に必要とする最低限の所要電圧閾値を上回る電圧値で、受信系の各回路部を常時動作させることができ、安定した受信動作を実施させることができる。
【００５５】
かくのごとき受信系の各回路部における消費電力の状況の一例を図３に示す。図３は、図１のデジタル放送受信機の電力消費状況を説明するための説明図であり、受信系の各回路部の電力消費量が、図７に示した従来のデジタル放送受信機における受信系の各回路部と同一の電力消費量とした場合であっても、合計電力消費量（つまり合計電流）が、電源容量を上回ることがない状況を一例として説明している。
【００５６】
つまり、図３に示すように、デジタル放送受信機の受信系の各回路部においては、前段の回路部における放送信号の処理が終了した後で、次段の回路部が動作を開始する動作を順次繰り返すことにより、受信系の各回路部の動作が重複した時間帯になる事態を防止している。この結果、たとえ、消費電力量が大きい受信部２、復調部３、画像デコード部５、音声デコード部７、録画部９が動作したとしても、図３に示すように、単独の動作であり、デジタル放送受信機内に流れる合計電流１００は、電源の電池が供給可能な最大電流値つまり最大電池容量１０１をオーバしてしまうことはなく、而して、電池電圧１０２が、受信系の各回路部の正常な動作に必要とする所要電圧閾値１０３を確実に上回る状態を維持することができ、正常な受信動作を確実に行うことができる。
【００５７】
なお、図１、図３に示す実施形態においては、受信系の各回路部間を授受する処理結果（受信放送信号やＴＳパケット）のすべてを、処理結果のバッファリング手段の一つであるメモリ１２を経由して授受する形態とすることにより、受信系の各回路部が所要の処理を行うために動作するタイミングが互いに重複しない場合について説明したが、本発明は、かかる場合のみに限るものではない。
【００５８】
例えば、デジタル放送受信機内に流れる合計電流１００が電源容量つまり最大電池容量１０１を超えない範囲内であれば、動作タイミングが互いに重複する回路部があっても構わない。かかる場合においては、例えば、電力消費量が大きい回路部間（例えば、受信部２と復調部３との間）、あるいは、電力消費量が大きい回路部（例えば画像デコード部５、音声デコード部７、録画部９）への出力を行う回路部（例えば、多重分離部４）など、受信系の各回路部のうち、いずれか１ないし複数の回路部についてのみ、バッファリング手段であるメモリ１２を介して、処理結果を授受するように構成して、各回路部が別々のタイミングで動作を行うようにし、その他の回路部については、処理結果を直接授受するようにして、重複したタイミングで動作するように構成しても良い。
【００５９】
また、受信系の各回路部で授受する処理結果を一時的に保持するバッファリング手段を、受信系の各回路部のいずれか１ないし複数の回路部からアクセスすることが可能なメモリ１２として構成する場合のみに限るものではなく、例えば、受信系の各回路部のいずれか１ないし複数の回路部の処理結果を出力するそれぞれの回路部の出力側に出力バッファ回路を備えて、該出力バッファ回路に当該回路部の処理結果を一時的に保持して、次段の回路部へ引き継ぐように構成しても良いし、あるいは、受信系の各回路部のいずれか１ないし複数の回路部の処理結果を引き継ぐそれぞれの次段の回路部の入力側に入力バッファ回路を備えて、前段の回路部における処理結果を該入力バッファ回路に当該回路部の動作開始まで一時的に保持するようにしても良い。
【００６０】
また、図３の実施形態においては、或る周期の放送信号の表示部６やスピーカ８への出力処理までを、当該周期内にて終了する場合を例にとって説明したが、デジタル放送受信機内に流れる合計電流１００が電源容量つまり最大電池容量１０１を超えない範囲内であれば、後段において動作する画像デコード部５、音声デコード部７、録画部９などの回路部の動作が、次の周期において動作するようにしても良い。つまり、動作タイミング制御部１０ｉは、受信系の各回路部のいずれか１ないし複数の回路部について、前述したように、前段の回路部の処理が終了したタイミングに達した際に、次段の回路部の動作を直ちに開始させるように制御しても良いし、前段の回路部の処理が終了したタイミング以降の任意のタイミングで次段の回路部の動作を開始させるようにしても良い。
【００６１】
この結果として、動作タイミング制御部１０ｉは、受信系の各回路部のいずれか１ないし複数の回路部について、受信系の回路部への合計電力が電源容量を超えない限り、処理すべき放送信号の当該周期内に、動作タイミングを設定することも可能であるし、あるいは、処理すべき当該周期の次の周期以降に、動作タイミングを設定することも可能である。
【００６２】
なお、以上の動作例の説明においては、連続受信モードで動作する場合の動作について説明したが、本発明は、かかる場合のみに限るものではなく、ＤＶＢ−Ｈ（Digital Video Broadcasting-Handled）形式の間欠受信モードの動作を行う場合であっても全く同様に、動作タイミング制御部１０ｉは、受信系の回路部への合計電力が電源容量を超えないように、各回路部の動作タイミングを制御することができることは明らかである。
【００６３】
（本実施形態の効果）
以上に詳細に説明したように、本実施形態においては、放送受信機の各回路部の電力消費のピークを時間的に分散させることによって、電源電圧の瞬間的な低下を防止することができ、正常な放送受信動作を維持することができる。
【００６４】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００６５】
【図１】本発明による放送受信機のブロック構成の一例を示すブロック構成図である。
【図２】第１の放送サービスが連続的に送信されてくる放送電波の様子を示す模式図である。
【図３】図１のデジタル放送受信機の電力消費状況を説明するための説明図である。
【図４】従来のデジタル放送受信機のブロック構成を示すブロック構成図である。
【図５】複数の放送サービスが時分割多重化されて送信されている放送電波の様子を示す模式図である。
【図６】図５の放送電波の中からデジタル放送受信機が所望の第１の放送サービスのみを抽出して受信する様子を示す模式図である。
【図７】従来のデジタル放送受信機の電力消費状況を説明するための説明図である。
【符号の説明】
【００６６】
１        アンテナ
２        受信部
２Ａ      受信部
３        復調部
３Ａ      復調部
４        多重分離部
４Ａ      多重分離部
５        画像デコード部
５Ａ      画像デコード部
６        表示部
７        音声デコード部
７Ａ      音声デコード部
８        スピーカ
９        録画部
９Ａ      録画部
１０      制御部
１０Ａ    制御部
１０ｉ    動作タイミング制御部
１０ｊ    電源制御部
１１      キー操作部
１２      メモリ
１００    合計電流
１００Ａ  過大電流値
１０１    最大電池容量
１０２    電池電圧
１０２Ａ  低下電圧値
１０３    所要電圧閾値
【図１】
2010062781.tif 000003
【図２】
2010062781.tif 000004
【図３】
2010062781.tif 000005
【図４】
2010062781.tif 000006
【図５】
2010062781.tif 000007
【図６】
2010062781.tif 000008
【図７】
2010062781.tif 000009